(57)【要約】      （修正有）【課題】一対の回路基板の収容空間を小さくできるとともに、回路基板を個別に支持することを要しない電気装置およびこの電気装置を具備する電気機器を提供する。【解決手段】電気装置１は、電子部品５，６が実装された一対の回路基板２，３と、巻線１４が巻回される本体部７、本体部７の巻線１４が巻回される軸方向の両側に設けられた一対の取付け部８，８および一対の取付け部８，８を貫通して各取付け部８，８から外方に突出するように各取付け部８，８に固定されるとともに本体部７に巻回された巻線１４が接続される少なくとも一対の接続ピン９，９を有し、一対の取付け部８，８に一対の回路基板２，３がそれぞれ対向するように取り付けられるとともに、各接続ピン９，９が回路基板２，３に電気接続されている巻線部品４を具備している。【選択図】図２
2012023193.tif 000002
【特許請求の範囲】
【請求項１】
電子部品が実装された一対の回路基板と；
巻線が巻回される本体部、この本体部の巻線が巻回される軸方向の両側に設けられた一対の取付け部およびこの一対の取付け部を貫通して各取付け部から外方に突出するように各取付け部に固定されるとともに本体部に巻回された巻線が接続される少なくとも一対の接続ピンを有し、前記一対の取付け部に前記一対の回路基板がそれぞれ対向するように取り付けられるとともに、前記各接続ピンが前記回路基板に電気接続されている巻線部品と；
を具備していることを特徴とする電気装置。
【請求項２】
請求項１記載の電気装置と；
この電気装置により電力が供給されて動作する負荷と；
前記電気装置および前記負荷を配設している電気機器本体と；
を具備していることを特徴とする電気機器。
【発明の詳細な説明】
【技術分野】
【０００１】
本発明の実施形態は、少なくとも一対の回路基板および巻線部品を有して形成される電気装置およびこの電気装置を具備する電気機器に関する。
【背景技術】
【０００２】
電気機器においては、従来から回路基板の小形化や回路ユニットの共通化のために、複数の回路基板を組み合わせることが行われている。すなわち、複数の回路基板を３次元的に組み合わせると、回路基板の幅寸法を抑えることができ、小形化が図れる。また、回路ユニット毎に回路基板を構成し、回路ユニットの組み合わせを可変とすることで多品種の回路基板構造体を製造することができ、回路ユニットも共通化できるためコスト的にもメリットがある。
【０００３】
複数の回路基板は、使用回路部品を分割して搭載しており、例えば相対向してケースなどに配置されている（例えば特許文献１参照。）。ここで、各回路基板は、ケースなどにそれぞれ固定され、回路基板同士は、各回路基板に取り付けたコネクタ同士の接続やジャンパー線などにより接続されているものがある。コネクタやジャンパー線を用いると、その分、部品点数が増加し、部品コストが無視できないものである。
【０００４】
また、２枚の回路基板を交差するように組み合わせて、両者の接続パターンをはんだにより電気接続する放電ランプ点灯装置が提案されている（特許文献２参照。）。すなわち、第１の回路基板の挿通孔に第２の回路基板の接続片が挿入されて貫通した状態で、第１および第２の回路基板の接続パターン間にはんだ付けを行うものである。
【先行技術文献】
【特許文献】
【０００５】
【特許文献１】実公平７−１６９７号公報（第３頁、第１図）
【特許文献２】特開２００８−１０９０６７号公報（第４−５頁、第１図）
【発明の概要】
【発明が解決しようとする課題】
【０００６】
回路基板同士を電気接続するために、各回路基板にコネクタを設けると、部品点数が増加してコストアップするとともに、コネクタの実装スペースが必要となってその分回路基板が大形化するという欠点を有する。また、各回路基板をケースなどに支持する支持構造が必要となるという欠点を有する。
【０００７】
また、２枚の回路基板を交差するように組み合わせると、両者の回路基板による３次元の占有空間が大きくなり、ケースなどの外囲器が大形化するという問題がある。
【課題を解決するための手段】
【０００８】
本発明の実施形態の電気装置は、一対の回路基板および巻線部品を有して構成される。
【０００９】
一対の回路基板は、それぞれ電子部品が実装され、電気装置の電気回路が形成される。
【００１０】
巻線部品は、本体部、一対の取付け部および少なくとも一対の接続ピンを有して形成される。本体部は、巻線が巻回される。一対の取付け部は、本体部の巻線が巻回される軸方向の両側に設けられ、一対の回路基板がそれぞれ対向するように取り付けられる。一対の接続ピンは、それぞれ一対の取付け部を貫通して各取付け部から外方に突出するように各取付け部に固定される。そして、一対の接続ピンは、本体部に巻回される巻線の両端をそれぞれ電気接続し、回路基板において電子部品に電気接続される。
【発明の効果】
【００１１】
本発明の実施形態の電気装置によれば、巻線部品は、その一対の取付け部が一対の回路基板をそれぞれ対向するように取り付け、その一対の接続ピンがその本体部に巻回された巻線を接続するとともに回路基板に実装された電子部品に電気接続されるので、一対の回路基板同士を接続するコネクタやジャンパー線などの電気接続手段を省略することができ、また、一対の回路基板を個別に電気装置を収容するケースや外囲器などへ支持することが不要となる。
【図面の簡単な説明】
【００１２】
【図１】本発明の実施例１を示す巻線部品であり、（ａ）は概略上面図、（ｂ）は概略縦断面図である。
【図２】同じく、電気装置の一部概略縦断面図である。
【図３】本発明の実施例２を示す電気装置の一部概略縦断面図である。
【図４】同じく、電気装置の一部概略上面図である。
【図５】本発明の実施例３を示す電気機器のブロック図である。
【図６】本発明の実施例４を示すＬＥＤランプの概略正面図である。
【図７】同じく、ＬＥＤランプの概略縦断面図である。
【図８】同じく、回路基板の形状および取付を示すＬＥＤランプの一部概略縦断面図である。
【図９】本発明の実施例５を示す照明器具の一部切り欠き概略側面図である。
【図１０】本発明の実施例６を示す照明器具の一部切り欠き概略側面図である。
【図１１】同じく、照明器具の概略上面図である。
【発明を実施するための形態】
【００１３】
以下、本発明の一実施の形態について、図面を参照して説明する。
【実施例１】
【００１４】
本発明の実施例１の電気装置１は、図１および図２に示すように構成される。図２において、電気装置１は、一対の回路基板２，３および巻線部品４を有して構成されている。電気装置１は、それらの構成要素をさらにケースに収容して構成してもよく、そのまま外囲器や電気機器本体などの装置本体に収容するものであってもよい。
【００１５】
一対の回路基板２，３は、例えばガラスエポキシ材からなり、それぞれ平板の長方形に形成されている。そして、回路基板２，３の一方の面２ａ，３ａにそれぞれ電子部品５，６などの多数の図示しない回路部品が実装され、それらの回路部品は、回路基板２，３に形成された図示しない配線パターンにより電気接続されている。回路基板２，３に実装された回路部品は、巻線部品４により電気接続されている。回路基板２，３の回路部品および配線パターンと、巻線部品４とにより、電気装置１の電気回路が形成されている。
【００１６】
なお、回路基板２，３は、その他方の面２ｂ，３ｂに電子部品などを実装してもよい。また、回路基板２，３は、その材質、形状や大きさなどを特に問わないものであり、それらが互いに異なっていてもよい。
【００１７】
巻線部品４は、図１に示すように、樹脂成型により一体に形成された本体部７および一対の取付け部８，８と、金属製の棒状体によって形成された一対の接続ピン９，９と、さらに接続ピン９と同一に形成された他の接続ピン１０，１１を有している。本体部７および一対の取付け部８，８は、例えばフェノール樹脂からなり、一対の接続ピン９，９および接続ピン１０，１１は、例えば黄銅からなる。
【００１８】
本体部７は、円筒に形成され、その内側の貫通孔１２に一対のＥコア１３，１３が挿入され、その外側に巻線１４が巻回されている。巻線１４は、図示しないテーピングにより本体部７に固定されている。本体部７は、巻線１４が巻回される巻線枠となっている。
【００１９】
一対の取付け部８，８は、巻線１４が巻回される軸方向の本体部７の両側に設けられ、平面部８ａおよびこの平面部８ａの両側に本体部7から遠ざかる方向に直角に起立した立上部８ｂ，８ｂを有する縦断面凹形の長方形に形成されている。貫通孔１２は、平面部８ａから直方体形状に形成されている。一対のＥコア１３，１３は、平面部８ａ，８ａから貫通孔１２に挿入され、図示しないテーピングにより平面部８ａ，８ａに固定されている。
【００２０】
一対の接続ピン９，９および接続ピン１０，１１は、一対の取付け部８，８の平面部８ａ，８ａの４隅側に設けられた図示しない孔に嵌入され、平面部８ａ，８ａを貫通して本体部７から遠ざかる外方に突出するように一対の取付け部８，８に固定されている。そして、一対の接続ピン９，９に巻線１４の両端が接続されている。こうして、巻線部品４は、電気装置１の電気回路の一部品例えばインダクタを構成するものである。
【００２１】
そして、一対の接続ピン９，９および接続ピン１０，１１は、図２に示すように、それらに対応して一対の回路基板２，３に設けられた各挿通孔１５に他方の面２ｂ，３ｂ側から挿通され、回路基板２，３を貫通して外方に突出している。ここで、一対の接続ピン９，９および接続ピン１０，１１は、それぞれ所定の突出長にカットされている。そして、各接続ピン９〜１１は、一対の取付け部８，８のそれぞれの立上部８ｂ，８ｂに回路基板２，３の他方の面２ｂ，３ｂが当接するようにして、回路基板２，３の一方の面２ａ，３ａにおいて、はんだ１６により図示しない配線パターンにはんだ付けされている。
【００２２】
このはんだ付けにより、一対の取付け部８，８に一対の回路基板２，３が互いに対向するように取り付けられている。また、回路基板２に実装された電子部品５等の回路部品および回路基板３に実装された電子部品６等の回路部品は、一対の接続ピン９，９および接続ピン１０，１１を介して電気接続され、巻線部品４とともに電気装置１の電気回路を形成している。そして、一対の回路基板２，３のいずれか一方には、交流電源に接続される図示しない入力線および負荷に接続される図示しない出力線がそれぞれ導出されている。
【００２３】
なお、電気装置１の電気回路がインダクタやトランスを複数個有するものであるときには、複数個の巻線部品４を上述のように設けてもよい。これにより、一対の回路基板２，３の巻線部品４への取付けが向上する。また、接続ピン１０，１１が回路基板２の配線パターン（電子部品５等）と、回路基板３の配線パターン（電子部品６等）を電気接続するものでないときには、設けなくてもよい。
【００２４】
次に、本発明の実施例１の作用について述べる。
【００２５】
一対の回路基板２，３の電子部品５，６等の回路部品は、巻線部品４の一対の接続ピン９，９および接続ピン１０，１１により電気接続されることにより、電気装置１の電気回路を形成する。そして、入力線を介して交流電源を入力すると、動作して、出力線を介して所定の電力を負荷に供給する。
【００２６】
本実施形態の電気装置１は、巻線１４が巻回される本体部７と、一対の回路基板２，３をそれぞれ対向するように取り付ける一対の取付け部８，８と、巻線１４を接続し一対の回路基板２，３に実装された電子部品５，６等の回路部品を電気接続する一対の接続ピン９，９および接続ピン１０，１１を有する巻線部品４とを備えるので、一対の回路基板２，３同士を接続するコネクタやジャンパー線などの電気接続手段を省略することができて、電気装置１を安価にすることができるとともに、一対の回路基板２，３を個別にケースや外囲器などに支持することを不要にできて、一対の回路基板２，３の支持構造を簡素化できるという効果を有する。
【実施例２】
【００２７】
図３および図４は、本発明の実施例２を示し、図３は電気装置の一部概略縦断面図、図４は電気装置の一部概略上面図である。なお、図２と同一部分には、同一符号を付して説明は省略する。
【００２８】
図３に示す電気装置１７は、図２に示す電気装置１において、一対の回路基板２，３に替えて一対の回路基板１８，１９が設けられたものである。一対の回路基板１８，１９は、それらの配線パターンが巻線部品４の他に複数のジャンパー線２０によって電気接続されている。すなわち、一対の回路基板１８，１９の電子部品５，６等の回路部品を巻線部品４の一対の接続ピン９，９および接続ピン１０，１１のみでは電気接続できないものである。
【００２９】
一対の回路基板１８，１９は、それらの長手方向の一端側１８ｃ，１９ｃの端部に設けた図示しない端子おいて、はんだ１６によりジャンパー線２０をはんだ付けしている。ジャンパー線２０は、例えば鉄線からなる。なお、ジャンパー線２０は、図中、弛みなく記載されているが、実際は弛んだ状態で一対の回路基板１８，１９を電気接続している。
【００３０】
そして、一対の回路基板１８，１９は、その一端側１８ｃ，１９ｃの端面１８ｄ，１９ｄから所定長突出する突出部２１，２１を有するように形成されている。突出部２１は、図４に示すように、リード線２０，２０間に介在するように設けられている。
【００３１】
本発明の実施形態の電気装置１７は、一対の回路基板１８，１９同士を電気接続するジャンパー線２０，２０間にそれぞれ突出部２１を有する一対の回路基板１８，１９を備えるので、折り曲げられているときの隣り合うジャンパー線２０，２０同士が接触することを防止できて、また、ジャンパー線２０，２０間に突出部２１による絶縁材を介在させることができて、電気回路の短絡等の電気事故を防止することができるという効果を有する。
【実施例３】
【００３２】
図５は、本発明の実施例３を示す電気機器のブロック図である。なお、図２と同一部分には、同一符号を付して説明は省略する。
【００３３】
図５に示す電気機器２２は、送風装置であり、例えば建物や地下廊の壁面に設置される。図２に示す電気装置１、負荷２３および電気機器本体２４を有して構成されている。
【００３４】
電気装置１は、温度センサや湿度センサなどのセンサ装置２５に接続され、電気機器２２の周囲温度や湿度に応じて、負荷２３への電力供給を調整する。そして、電気装置１は、一対の回路基板２，３が巻線部品４にそれぞれ対向するように取り付けられているので、一対の回路基板２，３の収容空間が小さいことにより、薄形に形成されている。
【００３５】
負荷２３は、複数個のファンによって構成され、電気装置１により電力が供給されて動作する。すなわち、電気装置１の出力に応じて、ファンが回転または停止し、ファンの回転数が変化される。
【００３６】
電気機器本体２４は、送風口を有する箱状に形成され、電気装置１、負荷２３およびセンサ装置２５を配設して、壁面に固定されている。
【００３７】
本実施形態の電気機器２２は、電気装置１が安価にかつ薄形に形成されるので、安価に形成することができるとともに、電気機器本体２４を薄形に形成することができて、壁面に設置されているときの外観が向上し、障害物や干渉物になり難いという効果を有する。
【００３８】
なお、電気機器は、本実施形態の電気機器２２に限定されるものではなく、本発明の電気装置、この電気装置により電力が供給されて動作する負荷および当該電気装置および前記負荷を配設している電気機器本体を具備していればよいものである。
【実施例４】
【００３９】
図６ないし図８は、本発明の実施例３を示し、図６はＬＥＤランプの概略正面図、図７はＬＥＤランプの概略縦断面図、図８は回路基板の形状および取付を示すＬＥＤランプの一部概略縦断面図である。なお、図２と同一部分には、同一符号を付して説明は省略する。
【００４０】
図７において、電気機器としてのＬＥＤランプ２６は、電球用ソケットに着脱されるミニクリプトン電球形のＬＥＤ電球であり、負荷としての発光体２７、図２に示す電気装置１、電気機器本体としての装置本体２８および包囲体２９を有して構成されている。そして、装置本体２８は、金属ケース３０および樹脂ケース３１に形成されている。
【００４１】
発光体２７は、基板３２および発光ダイオード３３を有して形成されている。そして、発光体２７は、基板３２の一面側３２ａに複数個の発光ダイオード３３を設けている。基板３２は、例えばアルミニウム（Ａｌ）の金属板からなり、外形が例えば略四角形状に形成されている。
【００４２】
発光ダイオード３３は、例えば青色光を発するＬＥＤチップ３４を有し、このＬＥＤチップ３４がＣＯＢ（Chip  On  board）方式によって基板３２に実装されている。すなわち、ＬＥＤチップ３４が基板３２の一面側３２ａに図示しない高熱伝導性を有する絶縁層を介して実装され、このＬＥＤチップ３４をドーム状に覆って封止する例えばシリコーン樹脂などの封止樹脂３５が形成されている。封止樹脂３５には、ＬＥＤチップ３４からの青色光の一部により励起されて黄色光を放射する黄色蛍光体が混入されている。したがって、封止樹脂３５の表面が発光面となり、この発光面から白色光が放射される。
【００４３】
そして、基板３２は、その他面３２ｂに放熱板３６を取り付けている。放熱板３６は、高熱伝導性を有する金属板例えばアルミニウム（Ａｌ）板からなり、例えば円形に形成され、高熱伝導性の接着材により基板３２に固着されている。放熱板３６は、ＬＥＤチップ３４の点灯（発光）に伴って発生した熱が基板３２から伝熱され、当該熱を装置本体２８の金属ケース３０に伝熱させる。
【００４４】
装置本体２８は、金属ケース３０および樹脂ケース３１からなっている。金属ケース３０は、高熱伝導率を有する金属材料からなり、他端側３０ｂから一端側３０ａに向かって拡径するように形成されている。ここでは、金属ケース３０は、アルミニウム（Ａｌ）により形成されている。
【００４５】
また、金属ケース３０は、外面３０ｃに一端側３０ａから他端側３０ｂの方向に沿った複数の放熱フィン３７が放射状に突出形成されている。そして、一端側３０ａの上面には、放熱板３６が面接触して取り付けられる平面状の発光体２７の取付け部３８が形成されているとともに、包囲体２９を取り付ける環状の包囲体取付部３９が取付け部３８よりも外方に突出するように形成されている。この包囲体取付部３９は、装置本体２８の最大外径部となっている。
【００４６】
そして、取付け部３８の中央部には、取付け部３８から他端側３０ｂの外面３０ｃに貫通する貫通孔４０が形成されている。この貫通孔４０は、取付け部３８から他端側３０ｂに向かうにつれ次第に縮径する先細りの略円錐台状に形成されている。そして、取付け部３８の貫通孔４０の縁部には、四角状の嵌合凹部４１が形成されている。嵌合凹部４１は、貫通孔４０の周回に等間隔に複数個が形成されている。また、取付け部３８には、放熱板３６をねじ止めするための図示しないねじ孔が複数個形成されている。さらに、取付け部３８には、包囲体取付部３９の周壁部に沿う環状の溝４２が形成されている。
【００４７】
取付け部３８には、図示しないねじ孔に放熱板３６を介して図示しないねじが螺着されることにより、放熱板３６が取り付けられている。ここで、放熱板３６は、貫通孔４０を塞ぐとともに、嵌合凹部４１に被さる大きさに形成されている。すなわち、取付け部３８には、放熱板３６を介して発光体２７の基板３２の他面３２ｂが取り付けられて、発光体２７が取り付けられている。このように、金属ケース３０は、その一端側３０ａに発光体２７の基板３２を取り付けている。なお、放熱板３６は、嵌合凹部４１の全域を被さる大きさに形成されていることが好ましいが、嵌合凹部４１の一部に被さる大きさに形成されていてもよい。
【００４８】
また、取付け部３８の溝４２には、発光体２７および放熱板３６を包囲する取付板４３が嵌合されている。取付板４３と包囲体取付部３９の周壁部との間には、隙間４４が形成されている。取付板４３の上面と包囲体取付部３９の上面は、ほぼ同一面状となっている。
【００４９】
放熱フィン３７は、金属ケース３０の他端側３０ｂから一端側３０ａへと径方向の突出量が大きくなるように滑らかに傾斜して形成されている。また、放熱フィン３７は、図６に示すように、金属ケース３０の周方向に互いに略等間隔で放射状に形成され、放熱フィン３７，３７間に間隙４５が形成されている。間隙４５は、金属ケース３０の他端側３０ｂおよび周囲へ向けて開口され、金属ケース３０の一端側３０ａでは閉塞されている。放熱フィン３７および間隙４５の一端側には、環状の包囲体取付部３９が形成されている。金属ケース３０は、例えばアルミダイキャストにより、上述のように成型されたものである。
【００５０】
そして、包囲体取付部３９には、包囲体２９が取り付けられている。包囲体２９は、透光性を有する例えばポリカーボネート（ＰＣ）樹脂からなり、発光体２７を覆うように略球面状に成型されている。
【００５１】
また、包囲体２９は、図７に示すように、その他端側２９ｂは開口され、この開口縁部に金属ケース３０の包囲体取付部３９および取付板４３の間の隙間４４に嵌合される嵌合部４６が形成されている。包囲体２９は、その嵌合部４６が前記隙間４４に嵌合されているとともに、接着材などで固定されている。こうして、包囲体２９は、発光体２７を覆うように金属ケース３０の一端側３０ａに取り付けられている。
【００５２】
装置本体２８の樹脂ケース３１は、ポリブチレンテレフタレート（ＰＢＴ）樹脂などの電気絶縁性の合成樹脂により形成されている。そして、その外周面３１ｃが金属ケース３０の貫通孔４０の内壁面４０ａに近接するようにかつ貫通孔４０の内壁面４０ａに沿う形状に形成されている。すなわち、外周面３１ｃを有する部分が略円錐台状の筒状に形成されている。そして、外周面３１ｃの一端側３１ａの縁部に、外周面３１ｃから外方に突出する嵌合凸部４７が形成されている。この嵌合凸部４７は、所定の厚さを有する例えば四角形に形成され、外周面３１ｃの開口縁部の周回で１８０°間隔で、互いに対向するように２個が形成されている。すなわち、嵌合凸部４７は、金属ケース３０の嵌合凹部４１に対応して設けられ、嵌合凹部４１に嵌め込まれている。嵌合凸部４７および嵌合凹部４１が互いに嵌合することにより、樹脂ケース３１は、金属ケース３０の貫通孔４０の内部に配置される。
【００５３】
嵌合凸部４７は、嵌合凹部４１に嵌め込まれる形状や大きさに形成されているとともに、放熱板３６が乗り上げないように形成されている。すなわち、嵌合凸部４７が嵌合凹部４１から取付け部３８に突出しない形状や大きさに形成されている。樹脂ケース３１は、嵌合凸部４７が金属ケース３０の嵌合凹部４１に嵌め込まれ、嵌合凸部４７および嵌合凹部４１が互いに嵌合して相互の回動を規制することにより、金属ケース３０に固定される。
【００５４】
そして、樹脂ケース３１は、その外周面３１ｃの他端側３１ｂが金属ケース３０の他端側３０ｂの外面３０ｃから外方に突出しているとともに、他端側３１ｂに有底の円筒状の突出部４８が形成されている。突出部４８の外径は、樹脂ケース３１の他端側３１ｂよりも幾分縮径している。突出部４８には、例えばカシメにより口金４９が設けられている。このように、装置本体２８は、金属ケース３０の他端側３０ｂに突出部４８を介して口金４９を有している。
【００５５】
また、突出部４８の底板部５０には、溝５１，５１が形成されており、この溝５１，５１に電気装置１が支持されている。さらに、底板部５０には、電気装置１および口金４９を電気接続する図示しない入力線（リード線）が挿通される図示しない挿通孔が設けられている。
【００５６】
口金４９は、Ｅ１７形の一般照明電球用のソケットに接続可能なものである。そして、口金４９は、樹脂ケース３１の突出部４８に嵌合されてかしめられて固定されるシェル部５２、このシェル部５２の他端側に設けられる絶縁部５３およびこの絶縁部５３の頂部に設けられるアイレット部５４を有して構成されている。シェル部５２およびアイレット部５４には、図示しない入力線が接続されている。この入力線は、突出部４８の底板部５０に設けられた図示しない挿通孔から樹脂ケース３１の内部に導入されて、電気装置１に電気接続されている。
【００５７】
電気装置１は、図１および図２において説明した構成により、発光体２７の発光ダイオード３３を点灯するように形成されている。すなわち、電気装置１は、発光ダイオード３３を点灯する点灯装置に形成されている。そして、電気装置１は、樹脂ケース３１の内部に収容されている。
【００５８】
樹脂ケース３１の外周面３１ｃは、先述したように、その一端側３１ａから他端側３１ｂに向かうにつれ次第に縮径する先細りの略円錐台状に形成されている。これにより、電気装置１の一対の回路基板２，３は、図８に示すように、回路基板２の一端側２ｃから他端側２ｄに向かうにつれ段階的に幅狭に形成されている。ここで、一対の回路基板２，３は、同一の形状および大きさに形成されている。
【００５９】
そして、一対の回路基板２，３の他端側２ｄ，３ｄは、樹脂ケース３１の底板部５０の溝５１，５１に嵌入されて、底板部５０に支持されている。そして、一方の回路基板２の樹脂ケース３１の内面３１ｄに近接または当接する部位２ｅ，２ｅには、例えばシリコーン樹脂からなる接着材５５が塗布されている。この接着材５５の固着により、回路基板２の前記部位２ｅ，２ｅ側は、樹脂ケース３１に固定されている。こうして、回路基板２は、樹脂ケース３１の底板部５０での嵌入による支持および樹脂ケース３１の内面３１ｄでの固定により、樹脂ケース３１に強固に取り付けられている。
【００６０】
これに対し、他方の回路基板３は、図７に示すように、樹脂ケース３１の内面３１ｄに固定されていなく、樹脂ケース３１の底板部５０での嵌入による支持と、巻線部品４を介しての回路基板２への連結とにより、樹脂ケース３１に取り付けられている。
【００６１】
こうして、電気装置１は、樹脂ケース３１の内部に収容されているとともに、樹脂ケース３１に固定されている。そして、電気装置１は、回路基板２の他端側２ｄ（または回路基板３の他端側３ｄ）と口金４９とが図示しない入力線で接続され、回路基板２の一端側２ｃ（または回路基板３の一端側３ｃ）と発光体２７の基板３２とが図示しない出力線（リード線）で接続されている。
【００６２】
電気装置１は、その電気回路が口金４９および図示しない入力線を介して外部電源から給電されて動作し、外部電源の交流電圧を整流平滑して、定電流を発光体２７に供給するように構成されている。発光ダイオード３３のＬＥＤチップ３４は、定電流が供給されることにより点灯（発光）する。そして、発光ダイオード３３から白色光が放射される。
【００６３】
次に、本発明の実施例４の作用について述べる。
【００６４】
ＬＥＤランプ２６は、例えば照明器具のＥ１７形の電球用ソケットに装着される。そして、口金４９に外部電源が給電されると、電気装置１が動作し、電気装置１から発光体２７の複数個のＬＥＤチップ３４に定電流（電力）が供給される。複数個の発光ダイオード３３は、点灯し、白色光を放射する。
【００６５】
当該放射光は、発光体２７を覆っている包囲体２９を透過して外方の被照射面や被照射物などに照射される。
【００６６】
本実施形態のＬＥＤランプ２６は、巻線部品４により一対の回路基板２，３が互いに対向するとともに電気接続される電気装置１を備えるので、電気装置１を小形化または薄形化することができて、ミニクリプトン電球などの狭い収容空間を有する装置本体２８（樹脂ケース３１）に容易に収容して配設することができる。また、電気装置１は、一対の回路基板２，３のうちの一方が樹脂ケース３１に強固に取り付けられ、他方の樹脂ケース３１への支持構造を簡素にできるので、ＬＥＤランプ２６を安価に形成可能であるという効果を有する。
【００６７】
なお、装置本体２８は、金属ケース３０および樹脂ケース３１に形成したが、これらを例えばアルミダイキャストにより一体成型してもよい。この場合、装置本体２８と、電気装置１および口金４９とを絶縁材等により電気絶縁すればよい。また、装置本体２８は、一端側３０ａおよび他端側３０ｂが同径または略同径の筒状に形成されてもよく、包囲体２９は、装置本体２８の最大外径部よりも径大に形成されていてもよい。
【００６８】
また、ＬＥＤランプ２６は、その口金４９がＥ形の口金構造であるが、本実施形態のＬＥＤランプは、ＧＸ５３形やピン形の口金構造を有するものに形成してもよい。
【実施例５】
【００６９】
図９は、本発明の実施例５を示す照明器具の一部切り欠き概略側面図である。なお、図６と同一部分には、同一符号を付して説明は省略する。
【００７０】
図９に示す電気機器としての照明器具５６は、図６に示すＬＥＤランプ２６を使用するダウンライトであり、天井５７に埋設されている。そして、外形が有底の略円筒状に形成された電気機器本体としての器具本体５８に電球用ソケット５９が配設されている。器具本体５８は、器具本体５８と一体的に設けられているカバー体６０と板バネ６１，６１とにより天井５７を挟持することにより、天井５７に固定されている。そして、電球用ソケット５９に、ＬＥＤランプ２６が取り付けられている。ＬＥＤランプ２６は、照明器具５６の負荷となっている。
【００７１】
電球用ソケット５９が通電されると、ＬＥＤランプ２６の電気装置１（図示しない。）が動作し、発光体２７（図示しない。）の各発光ダイオード３３（図示しない。）に電力が供給される。これにより、複数個の発光ダイオード３３が点灯し、包囲体２９から白色光が放射される。当該白色光は、カバー体６０の開口６２から床面側に出射される。
【００７２】
ＬＥＤランプ２６は、安価にであって小形に形成可能であるので、照明器具５６は、小形に形成することができ、安価にできるという効果を有する。
【実施例６】
【００７３】
図１０および図１１は、本発明の実施例６を示し、図１０は照明器具の一部切り欠き概略側面図、図１１は照明器具の概略上面図である。なお、図２と同一部分には同一符号を付して説明は省略する。
【００７４】
図１０に示す電気機器としての照明器具６３は、天井面等に埋設されるダウンライトであり、電気機器本体としての器具本体６４および化粧枠６５を有して形成されている。器具本体６４は、アルミダイキャストによって成型されており、内部に負荷としての発光体６６および図２に示す電気装置１などを収納する内部空間６７を有する略円柱状に形成されている。そして、他端側としての上部側６４ａの内側に内部空間６７を閉塞する天板６８をリベット６９により取り付け、一端側としての下部側６４ｂの内側に発光体６６を取り付け、中間部側６４ｃの内側に電気装置１を取り付けて収容している。
【００７５】
天板６８には、端子台７０が配設されている。この端子台７０は、図示しない電源線により外部電源に接続されている。図１１に示すように、端子台７０から入力線（リード線）７１，７１が内部空間６７に導入され、電気装置１に接続されている。これにより、電気装置１は、外部電源に接続される。
【００７６】
図１０において、器具本体６４は、上部側６４ａの外面に、化粧枠６５との間で天井面等を挟持することにより照明器具６３を天井等に固定する一対の取付けばね７２，７２がリベット７３により取り付けられている。
【００７７】
化粧枠６５は、ＡＢＳ樹脂からなり、外面側に補強片７４および円形状のフランジ部７５を有する略椀状に形成されている。化粧枠６５は、器具本体６４にリベット７６により取り付けられて、器具本体６４と一体化している。
【００７８】
そして、化粧枠６５と発光体６６の間には、略楕円形の反射板７７が固定されなく設置されている。また、化粧枠６５のフランジ部７５の内側は、開口されていて、環状の段部７８を有するように形成されている。この段部７８の最奥側に、透光性の包囲体７９が反射板７７と段部７８とにより挟まれるようにして固定されることなく設けられている。包囲体７９は、例えばアクリル樹脂からなり、円板状に形成されている。こうして、包囲体７９は、器具本体６４の一端側としての下部側６４ｂに取り付けられている。
【００７９】
発光体６６は、円板状の基板８０、複数個の青色光を発光するＬＥＤチップ８１、内側にＬＥＤチップ８１を収容して包囲するリジット基板８２およびこのリジット基板８２の内側に充填されＬＥＤチップ８１を封止する封止樹脂８３を有して形成されている。基板８０は、例えばアルミニウム（Ａｌ）板からなり、図示しない絶縁層を介して複数個のＬＥＤチップ８１を実装している。リジット基板８２は、例えばガラスエポキシ材からなり、その内側に所定量の封止樹脂８３を充填させる。封止樹脂８３は、例えば透光性のシリコーン樹脂からなり、青色光を黄色光に波長変換する黄色蛍光体８４を含有している。
【００８０】
発光体６６は、ＬＥＤチップ８１から放射された青色光と、黄色発光体８４により波長変換された黄色光とがそれぞれ封止樹脂８３から出射して混色することにより、白色光を放射するように見えるものである。こうして、負荷としての発光体６６は、可視光を放射する照明用ランプを形成している。
【００８１】
そして、基板８０には、コネクタ８５が実装されている。このコネクタ８５は、図示しない配線パターンによりＬＥＤチップ８１に電気接続されている。また、基板８０は、平面状であって円形状の放熱板８６に図示しない接着材により密着されている。放熱板８６は、器具本体６４の下部側６４ｂの内部空間６７において、器具本体６４の内面側に固定されており、発光体６６を包囲体７９に正対させている。そして、放熱板８６には、挿通孔８７が設けられている。
【００８２】
電気装置１は、コネクタ８８付きの出力線８９を導出している。コネクタ８８は、放熱板８６の挿通孔８７を挿通し、発光体６６のコネクタ８５に接続されている。これにより、発光体６６は、電気装置１から電力が供給可能となっている。
【００８３】
そして、電気装置１は、天板６８に設けた端子台７０を介して給電して動作し発光体６６のＬＥＤチップ８１を点灯させる点灯装置に形成されている。
【００８４】
本実施形態の照明器具６３は、収容空間が小さく、安価に形成可能な電気装置１を備えるので、小形化が可能であるとともに、安価にすることができるという効果を有する。
【００８５】
なお、実施例５および実施例６において、照明器具５６，６３は、ダウンライト（埋込形照明器具）に構成したが、本実施形態の照明器具は、これに限らず、直付け照明器具や吊り下げ照明器具など、多様な照明器具に構成することができるものである。
【符号の説明】
【００８６】
１，１７…電気装置、  ２，３…一対の回路基板、  ４…巻線部品、  １８，１９…一対の回路基板、  ２２…電気機器、  ２３…負荷、  ２４…電気機器本体、  ２６…電気機器としてのＬＥＤランプ、  ２７…負荷としての発光体、  ２８…電気機器本体としての装置本体、  ５６，６３…電気機器としての照明器具、  ５８，６４…電気機器本体としての器具本体、  ６６…負荷としての発光体
【図１】
2012023193.tif 000003
【図２】
2012023193.tif 000004
【図３】
2012023193.tif 000005
【図４】
2012023193.tif 000006
【図５】
2012023193.tif 000007
【図６】
2012023193.tif 000008
【図７】
2012023193.tif 000009
【図８】
2012023193.tif 000010
【図９】
2012023193.tif 000011
【図１０】
2012023193.tif 000012
【図１１】
2012023193.tif 000013